Podtech/llm-jp-corpus-v4-ja_patent huggingface dataset:
【手続補正書】
【提出日】平成23年7月19日(2011.7.19)
【手続補正１】
【補正対象書類名】明細書
【補正対象項目名】００３４
【補正方法】変更
【補正の内容】
【００３４】
装置に取り付けられるとき、軸受筒は圧縮して取り付けられることが好ましい。このように部品は、軸受筒の外側表面の周りで装置の部品中に圧縮してぴったりと押し込まれてもよい。
次に、本発明の好ましい態様を示す。
１  フルオロポリマー熱可塑性樹脂と円周に配向した連続の高引張弾性率繊維とを含む軸受筒。
２  前記高引張弾性率繊維が炭素繊維、アラミド繊維、金属繊維、ガラス繊維またはセラミック繊維である上記１に記載の軸受筒。
３  前記高引張弾性率繊維が前記軸受筒の約２０〜約６０容積パーセントである上記１または２に記載の軸受筒。
４  前記フルオロポリマーが約２００℃以上の融点を有する上記１〜３のいずれか一項に記載の軸受筒。
５  前記フルオロポリマーがパーフルオロポリマーである上記１〜４のいずれか一項に記載の軸受筒。
６  第２部品に対して、および第２部品との間で回転する第１部品を含み、かつ、フルオロポリマー熱可塑性樹脂と円周に配向した連続の高引張弾性率繊維とを含む軸受筒中で前記第１および前記第２部品を接触させる装置。
７  遠心ポンプである上記５に記載の装置。
８  前記高引張弾性率繊維が炭素繊維、アラミド繊維、金属繊維、ガラス繊維またはセラミック繊維である上記６または７に記載の装置。
９  前記高引張弾性率繊維が前記軸受筒の約２０〜約６０容積パーセントである上記６〜８のいずれか一項に記載の装置。
１０  前記フルオロポリマーがパーフルオロポリマーであり、そして約２００℃以上の融点を有する上記６〜９のいずれか一項に記載の装置。
【手続補正２】
【補正対象書類名】特許請求の範囲
【補正対象項目名】全文
【補正方法】変更
【補正の内容】
【特許請求の範囲】
【請求項１】
フルオロポリマー熱可塑性樹脂と円周に配向した連続の高引張弾性率繊維とを含む軸受筒。
【請求項２】
第２部品に対して、および第２部品との間で回転する第１部品を含み、かつ、フルオロポリマー熱可塑性樹脂と円周に配向した連続の高引張弾性率繊維とを含む軸受筒中で前記第１および前記第２部品を接触させる装置。
【手続補正書】
【提出日】平成23年7月19日(2011.7.19)
【手続補正１】
【補正対象書類名】明細書
【補正対象項目名】００３４
【補正方法】変更
【補正の内容】
【００３４】
装置に取り付けられるとき、軸受筒は圧縮して取り付けられることが好ましい。このように部品は、軸受筒の外側表面の周りで装置の部品中に圧縮してぴったりと押し込まれてもよい。
次に、本発明の好ましい態様を示す。
１  熱可塑性ポリマーと円周に配向した連続の高引張弾性率繊維とを含む軸受筒。
２  前記連続の高引張弾性率繊維が約１０ｃｍ以上の長さを有する上記１に記載の軸受筒。
３  前記熱可塑性ポリマーがフルオロポリマーである上記１または２に記載の軸受筒。
４  前記高引張弾性率繊維が炭素繊維、アラミド繊維、金属繊維、ガラス繊維またはセラミック繊維である上記１〜３のいずれか一項に記載の軸受筒。
５  前記連続の高引張弾性率繊維が前記軸受筒の約１０〜約７０容積パーセントである上記１〜４のいずれか一項に記載の軸受筒。
６  前記熱可塑性ポリマーがパーフルオロポリマーである上記１〜５のいずれか一項に記載の軸受筒。
７  第２部品に対して、および第２部品との間で回転する第１部品を含み、かつ、上記１〜６のいずれか一項に記載の軸受筒中で前記第１および前記第２部品を接触させる装置。
８  ポンプ、圧縮機または液圧式変速機である上記７に記載の装置。
９  遠心ポンプである上記７に記載の装置。
【手続補正２】
【補正対象書類名】特許請求の範囲
【補正対象項目名】全文
【補正方法】変更
【補正の内容】
【特許請求の範囲】
【請求項１】
熱可塑性ポリマーと円周に配向した連続の高引張弾性率繊維とを含む軸受筒。
【請求項２】
第２部品に対して、および第２部品との間で回転する第１部品を含み、かつ、請求項１に記載の軸受筒中で前記第１および前記第２部品を接触させる装置。
【手続補正書】
【提出日】平成23年6月29日(2011.6.29)
【手続補正１】
【補正対象書類名】特許請求の範囲
【補正対象項目名】全文
【補正方法】変更
【補正の内容】
【特許請求の範囲】
【請求項１】
弁棒を弁体に接続する装置であって、
ネジ切りされた開口部を有した弁体と、
外面のまわりにネジ山を有する弁棒と、
前記ネジ切りされた開口部または前記外面のうちの少なくとも一つから延びている隣接する開口部と、
前記弁棒と前記弁体とを回転できないように一緒に固定するために前記隣接する開口部内に受けられる固定部材とを備えており、
前記ネジ山が前記弁体の前記ネジ切りされた開口部により受けられるように構成されている、装置。
【請求項２】
前記弁体又は弁棒が溶接不能な材料からなる、請求項１に記載の装置。
【請求項３】
前記固定部材が溶接部を介して前記弁棒又は弁体に付着されてなる、請求項１に記載の装置。
【請求項４】
前記弁棒が長手方向の軸線を有しており、前記弁体が、前記ネジ切りされた開口部内に受けられる前記弁棒の前記長手方向の軸線に対してほぼ垂直に設けられた面を有しており、前記面内に配置された前記隣接する開口部が、前記弁棒のうちの前記面を越えて位置する部分に対するアクセスを可能とするように構成されてなる、請求項１に記載の装置。
【請求項５】
弁棒を弁体に接続する装置であって、
内面を具備する開口部を有した弁体と、
外面を有した弁棒と、
前記弁体の前記開口部または前記弁棒の前記外面のうちの少なくとも一つから延びた隣接する開口部と、
前記弁棒と前記弁体とを回転できないように一緒に固定するために前記隣接する開口部内に受けられる固定部材とを備えており、
前記内面と前記外面のうちの少なくとも一方の面が凹部を有し、前記内面と前記外面のうちの他方の面が前記一方の面の前記凹部により受けられる凸部を有してなる、装置。
【請求項６】
前記弁体又は弁棒が溶接不能な材料からなる、請求項５に記載の装置。
【請求項７】
前記隣接する開口部が前記弁体内にフライス加工されてなる、請求項５に記載の装置。
【請求項８】
前記弁棒が長手方向の軸線を有しており、前記弁体が、前記弁体の前記開口部内に受けられる前記弁棒の前記長手方向の軸線に対してほぼ垂直に設けられた面を有しており、該面内に配置された前記隣接する開口部が、前記弁棒のうちの前記開口部内に位置する部分に対するアクセスを可能とするように構成されてなる、請求項７に記載の装置。
【請求項９】
前記固定部材が溶接部を介して前記弁棒又は弁体に付着されてなる、請求項５に記載の装置。
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
レンズ、及び
該レンズ上に配置されたハードコートを含み、
該ハードコートが
ａ）
ｉ）加水分解性シラン基を含むペルフルオロポリエーテルウレタンと、
ｉｉ）少なくとも１つのペルフルオロポリエーテル部分及び少なくとも１つの加水分解性シラン基を含むアクリレートポリマーと、
のうちの少なくとも１つを含む添加剤と、
ｂ）少なくとも５０重量％のシルセスキオキサン系ハードコート組成物と、
の反応生成物を含む、レスピレータ、溶接ヘルメット又はフェイスシールド。
【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
ナノ粒子；
無機ナノプレートレット；および
ポリマー物質
を含むポリマーナノ複合体。
【請求項２】
ナノ粒子が、金属酸化物、元素粒子、およびこれらの組合せからなる群から選ばれる請求項１に記載のポリマーナノ複合体。
【請求項３】
金属酸化物が、酸化亜鉛、酸化チタン、およびこれらの組合せからなる群から選ばれ、元素粒子が、銀、金、およびこれらの組合せからなる群から選ばれる請求項２に記載のポリマーナノ複合体。
【請求項４】
ナノ粒子が、１ｎｍおよび２０ｎｍの間の平均粒度を有する請求項１〜３のいずれか一項に記載のポリマーナノ複合体。
【請求項５】
ナノ粒子が、１ｎｍおよび１０ｎｍの間の平均粒度を有する請求項１〜３のいずれか一項に記載のポリマーナノ複合体。
【請求項６】
ナノ粒子が、ポリマーナノ複合体の０．１ｗｔ％および４ｗｔ％の間を構成する請求項１〜５のいずれか一項に記載のポリマーナノ複合体。
【請求項７】
無機ナノプレートレットが、アルミニウム、ケイ素、マグネシウム、ジルコニウム、チタン、ハフニウム、およびこれらの組合せからなる群から選ばれる一つまたはそれ以上の元素を有する物質を含む請求項１〜６のいずれか一項に記載のポリマーナノ複合体。
【請求項８】
無機ナノプレートレットが、α−リン酸ジルコニウム、リン酸チタン、リン酸ハフニウム、モンモリロナイト、スメクタイト、ベントナイト、およびこれらの組合せからなる群から選ばれる請求項１〜６のいずれか一項に記載のポリマーナノ複合体。
【請求項９】
無機ナノプレートレットが、ポリマーナノ複合体の０．０５ｗｔ％および５ｗｔ％の間を構成する請求項１〜８のいずれか一項に記載のポリマーナノ複合体。
【請求項１０】
無機ナノプレートレットが、０．５ｎｍおよび１．５ｎｍの間の厚さを有する請求項１〜９のいずれか一項に記載のポリマーナノ複合体。
【請求項１１】
ポリマー物質が、（メタ）アクリル樹脂、スチレン樹脂、ポリカーボネート樹脂、ポリエステル樹脂、エポキシ樹脂、エポキシ化フェノール樹脂、フェノール樹脂、フェニレンビニレン樹脂、フルオレン樹脂、フルオレンビニレン樹脂、フェニレン樹脂、チオフェン樹脂、およびこれらの組合せからなる群から選ばれる一つまたはそれ以上のポリマー物質を含む請求項１〜１０のいずれか一項に記載のポリマーナノ複合体。
【請求項１２】
ポリマー物質が、ポリメチルメタクリレート、ポリブチルアクリレート、メチルメタクリレート−ブチルアクリレートコポリマー、メチルメタクリレート−スチレンコポリマー、ポリスチレン、スチレン−アクリロニトリルコポリマー、スチレン−イソブチレンコポリマー、スチレン−ブチルアクリレートコポリマー、ポリエチレンテレフタレート、ポリブチレンテレフタレート、ビスフェノール−Ａエポキシ樹脂、ビスフェノール−Ｆエポキシ樹脂、ポリ（２−メトキシ−５−エチルヘキシルオキシ−１，４−フェニレンビニレン）、ポリ（９，９−ジ−（２−エチルヘキシル）−フルオレニル−２，７−ジイル）、ポリ（９，９−ジオクチルフルオレニル−２，７−ジイル）、ポリ（９，９−ジヘキシルフルオレニル−２，７−ジビニレン−フルオレニレン）、ポリ（９，９−ジヘキシル−２，７−（２−シアノジビニレン）−フルオレニレン）、ポリ（２，５−ジオクチル−１，４−フェニレン）、ポリ［２−（６−シアノ−６−メチルヘプチルオキシ）−１，４−フェニレン］、ポリ（３−ヘキシルチオフェン）、およびこれらの組合せからなる群から選ばれる一つまたはそれ以上のポリマー物質を含む請求項１１に記載のポリマーナノ複合体。
【手続補正書】
【提出日】平成23年7月12日(2011.7.12)
【手続補正１】
【補正対象書類名】特許請求の範囲
【補正対象項目名】全文
【補正方法】変更
【補正の内容】
【特許請求の範囲】
【請求項１】
少なくとも１種の瀝青と、少なくとも１種のグラフトポリマーＧＰとを含む瀝青／ポリマー組成物であって、
前記グラフトポリマーＧＰが、ポリマーの主鎖、およびこのポリマーの主鎖に結合した少なくとも１種のグラフト側鎖Ｇを含み、
前記グラフト側鎖Ｇを生成する化合物が、炭素数が少なくとも１８の、分岐鎖の炭化水素鎖、直鎖の炭化水素鎖、または飽和炭化水素鎖で構成される、瀝青／ポリマー組成物。
【請求項２】
請求項１において、ポリマーＰが、ジエン単位の共重合によって得られたものである、瀝青／ポリマー組成物。
【請求項３】
請求項１または２において、ポリマーＰが、共役ジエン単位の共重合によって得られたものである、瀝青／ポリマー組成物。
【請求項４】
請求項１から３のいずれか一項において、ポリマーＰが、共役ジエン単位と、芳香族モノビニル炭化水素単位との共重合によって得られたものである、瀝青／ポリマー組成物。
【請求項５】
請求項１から４のいずれか一項において、ポリマーＰの主鎖が、二重結合を有する、瀝青／ポリマー組成物。
【請求項６】
請求項１から５のいずれか一項において、ポリマーＰの主鎖が、共役ジエン単位の１，２−付加で生じたペンダントビニル二重結合を有する、瀝青／ポリマー組成物。
【請求項７】
請求項１から６のいずれか一項において、ポリマーＰの主鎖が、ブタジエン単位の１，２−付加で生じたペンダントビニル二重結合を有する、瀝青／ポリマー組成物。
【請求項８】
請求項１から７のいずれか一項において、ポリマーＰが、ブタジエンの１，２−付加で生じたペンダントビニル二重結合単位を５重量％から５０重量％有する、瀝青／ポリマー組成物。
【請求項９】
請求項１から８のいずれか一項において、グラフト側鎖Ｇを生成する化合物が、下記の一般式：
ＣｎＨ２ｎ＋１−ＸＨ
（式中、Ｘは、硫黄原子、酸素原子またはＮＨ基を示し、ｎは１８〜１１０の整数を示す）で表される、瀝青／ポリマー組成物。
【請求項１０】
請求項１から９のいずれか一項において、グラフト側鎖Ｇを生成する化合物が、下記の一般式：
ＣｎＨ２ｎ＋１−（ＯＣＨ２ＣＨ２）ｍ−ＸＨ
（式中、Ｘは、硫黄原子、酸素原子またはＮＨ基を示し、ｎは１８〜１１０の整数を示し、ｍは１〜２０の整数を示す）で表される、瀝青／ポリマー組成物。
【請求項１１】
請求項１から１０のいずれか一項において、グラフトポリマーＧＰが、ポリマーＰの少なくとも１つの二重結合と、グラフト側鎖Ｇを生成する化合物の反応性官能部位との反応によって得られたものであり、
前記反応性官能部位が、チオール、アルコールまたはアミンから選択される、瀝青／ポリマー組成物。
【請求項１２】
請求項１から１１のいずれか一項において、グラフトポリマーＧＰが、ポリマーＰの共役ジエン単位の１，２−付加で生じた少なくとも１つのペンダントビニル二重結合と、グラフト側鎖Ｇを生成する化合物の反応性官能部位との反応によって得られたものであり、
前記反応性官能部位が、チオール、アルコールまたはアミンから選択される、瀝青／ポリマー組成物。
【請求項１３】
請求項１から１２のいずれか一項において、グラフトポリマーＧＰが、ポリマーの主鎖１本につき少なくとも２つのグラフト側鎖を有する、瀝青／ポリマー組成物。
【請求項１４】
請求項１から１３のいずれか一項において、グラフトポリマーＧＰが、瀝青の０．１〜３０重量％含まれている、瀝青／ポリマー組成物。
【請求項１５】
請求項１から１４のいずれか一項において、グラフトポリマーＧＰが、瀝青の１〜１０重量％含まれている、瀝青／ポリマー組成物。
【請求項１６】
請求項１から１５のいずれか一項において、さらに、少なくとも１種のフラックスを含む、瀝青／ポリマー組成物。
【請求項１７】
請求項１から１６のいずれか一項に記載の瀝青／ポリマー組成物をエクスシチューで調製する方法において、
ａ）攪拌手段付きの反応槽に瀝青を投入し、この瀝青を９０〜２２０℃にまで加熱する工程と、
ｂ）グラフトポリマーＧＰを、前記瀝青の０．１〜３０重量％投入する工程と、
ｃ）この混合物を、一様な瀝青／ポリマー組成物が最終的に得られるまで、９０〜２２０℃で加熱および攪拌する工程と、
を含むことを特徴とする、瀝青／ポリマー組成物のエクスシチュー調製方法。
【請求項１８】
請求項１から１６のいずれか一項に記載の瀝青／ポリマー組成物をエクスシチューで調製する方法において、
ａ）攪拌手段付きの反応槽に瀝青を投入し、この瀝青を１４０〜１８０℃にまで加熱する工程と、
ｂ）グラフトポリマーＧＰを、前記瀝青の０．１〜１０重量％投入する工程と、
ｃ）この混合物を、一様な瀝青／ポリマー組成物が最終的に得られるまで、１４０〜１８０℃で加熱および攪拌する工程と、
を含むことを特徴とする、瀝青／ポリマー組成物のエクスシチュー調製方法。
【請求項１９】
請求項１から１６のいずれか一項に記載の瀝青／ポリマー組成物をインシチューで調製する方法であって、
ａ）攪拌手段付きの反応槽に瀝青を投入し、この瀝青を９０〜２２０℃にまで加熱する工程と、
ｂ）ポリマーＰを、前記瀝青の０．１〜３０重量％投入するとともに、グラフト側鎖Ｇを生成する化合物を、前記瀝青の０．１〜３０重量％投入する工程と、
ｃ）この混合物を、一様な瀝青／ポリマー組成物が最終的に得られるまで、９０〜２２０℃で加熱および攪拌する工程と、
を含む、瀝青／ポリマー組成物のインシチュー調製方法。
【請求項２０】
請求項１から１６のいずれか一項に記載の瀝青／ポリマー組成物をインシチューで調製する方法であって、
ａ）攪拌手段付きの反応槽に瀝青を投入し、この瀝青を１４０〜１８０℃にまで加熱する工程と、
ｂ）ポリマーＰを、前記瀝青の０．１〜１０重量％投入するとともに、グラフト側鎖Ｇを生成する化合物を、前記瀝青の０．１〜１０重量％投入する工程と、
ｃ）この混合物を、一様な瀝青／ポリマー組成物が最終的に得られるまで、１４０〜１８０℃で加熱および攪拌する工程と、
を含む、瀝青／ポリマー組成物のインシチュー調製方法。
【請求項２１】
請求項１から１６のいずれか一項に記載の瀝青／ポリマー組成物の使用であって、瀝青質バインダーを製造するための使用。
【請求項２２】
請求項１から１６のいずれか一項に記載の瀝青／ポリマー組成物の使用であって、無水物形態の瀝青質バインダー、エマルション形態の瀝青質バインダー、または溶剤に溶解した瀝青質バインダーを製造するための使用。
【請求項２３】
請求項１から１６のいずれか一項に記載の瀝青／ポリマー組成物の使用であって、表面化粧用材料、加熱混合物、常温混合物、再生常温混合物または砂利エマルションを製造するための、骨材との混合物である使用。
【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
エネルギー生成および分配のための道路システムであって、
複数の地上風力エネルギー生成デバイスと、
1つまたは複数の道路と、
道路システム電気グリッドと、を含み、
実質的にすべての前記地上風力エネルギー生成デバイスの各々は、前記道路システム電気グリッドに電気的に接続されるとともに前記道路の1つの一部分上にまたは1つもしくは複数の前記道路の近くに置かれ、それによって、大気の風からのエネルギー生成に加えて、通過する車から創出される風からのエネルギー生成を可能にすることを特徴とするエネルギー生成および分配のための道路システム。
【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
ポリウレタン尿素の水性分散体を含有して成る組成物であって、前記分散体が、
（ａ）ポリエーテル、ポリエステル、ポリカーボネートおよびこれらの組み合わせから選択される数平均分子量が６００から４０００の少なくとも１種のポリオール、
（ｂ）芳香族ジイソシアネート、脂肪族ジイソシアネート、脂環式ジイソシアネートおよびこれらの組み合わせから成る群より選択される一員を含有して成るポリイソシアネート、
（ｃ）（ｉ）ポリイソシアネートと反応し得るヒドロキシ基および（ｉｉ）中和時に塩を形成する能力を有しかつ前記ポリイソシアネートと反応する能力を持たない少なくとも１種のカルボン酸基を含有して成る少なくとも１種のジオール化合物、
（ｄ）中和剤、
（ｅ）鎖延長剤、
（ｆ）少なくとも１種の単官能アルコールを含有して成るイソシアネート基用ブロッキング剤、
の反応生成物である重合体、および
少なくとも１種の表面活性剤、
を含有して成る組成物。
【請求項２】
ポリウレタン尿素の水性分散体を含有して成る組成物であって、前記分散体がプレポリマー組成物、中和剤および鎖延長剤を含有して成る組成物の反応生成物である重合体を含有して成り、かつ前記プレポリマー組成物がポリオール、ポリイソシアネート、ジオールおよびブロッキング剤を含有して成る組成物の反応生成物である組成物。
【請求項３】
ポリウレタン尿素の水性分散体を製造する方法であって、
（ａ）（ｉ）ポリエーテル、ポリエステル、ポリカーボネートおよびこれらの組み合わせから選択した数平均分子量が６００から４０００の少なくとも１種のポリオール、
（ｉｉ）芳香族ジイソシアネート、脂肪族ジイソシアネート、脂環式ジイソシアネートおよびこれらの組み合わせから成る群より選択した一員を含有して成るポリイソシアネート、
（ｉｉｉ）（ｉ）ポリイソシアネートと反応し得るヒドロキシ基および（ｉｉ）中和時に塩を形成する能力を有しかつ前記ポリイソシアネートと反応する能力を持たない少なくとも１種のカルボン酸基を含有して成る少なくとも１種のジオール化合物、
の反応生成物を含有して成るプレポリマー組成物を調製し、
（ｂ）前記プレポリマーを中和剤と界面活性剤を含有して成る水性組成物に入れて分散させ、
（ｃ）前記プレポリマーの鎖延長を起こさせることで重量平均分子量が約４０，０００から約２５０，０００のポリウレタン尿素重合体が入っているポリウレタン尿素分散体を生じさせ、そして
（ｄ）イソシアネート基用ブロッキング剤を用いて前記重合体の分子量を調節する、
ことを含んで成る方法。
【請求項４】
ポリウレタン尿素の水性分散体および基質を含有して成る組成物であって、前記分散体が、
（ａ）ポリエーテル、ポリエステル、ポリカーボネートおよびこれらの組み合わせから選択される数平均分子量が６００から４０００の少なくとも１種のポリオール、
（ｂ）芳香族ジイソシアネート、脂肪族ジイソシアネート、脂環式ジイソシアネートおよびこれらの組み合わせから成る群より選択される一員を含有して成るポリイソシアネート、
（ｃ）（ｉ）ポリイソシアネートと反応し得るヒドロキシ基および（ｉｉ）中和時に塩を形成する能力を有しかつ前記ポリイソシアネートと反応する能力を持たない少なくとも１種のカルボン酸基を含有して成る少なくとも１種のジオール化合物、
（ｄ）中和剤、
（ｅ）鎖延長剤、
（ｆ）少なくとも１種の単官能アルコールを含有して成るイソシアネート基用ブロッキング剤、
の反応生成物である重合体、および
少なくとも１種の表面活性剤、
を含有して成る組成物。
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
Ａ）基材；並びに
Ｂ）前記基材上に配置された帯電防止層であって、以下のものを含む前記帯電防止層；
ａ）本質的に以下のものからなるカチオン性コポリマー：
ｉ）次式を有する約２０質量％以上７０質量％未満のカチオン性モノマー：
ＣＨ２＝ＣＲ１ＣＯＺ（ＣＨ２）ｎＮ（Ｒ２）３Ｘ
（式中、
ＺはＯ、Ｓ、又はＮＨであり；
Ｒ１はＨ又はＣＨ３であり；
Ｒ２は独立して、１〜４個の炭素原子を有するアルキル基を含み；
Ｘは、ハロゲン、ニトレート、アルキルサルフェート、アルカンスルホネート、及びハロアルカンスルホネートからなる群から選択されるアニオンであり；かつ
ｎ＝２〜６である）；及び
ｉｉ）１〜１２個の炭素原子からなる炭化水素基を有する脂肪族アルキル（メタ）アクリレートモノマーを含む約１０質量％〜約７５質量％の疎水性モノマー；及び
ｉｉｉ）次式を有する約２質量％〜約２５質量％の架橋性モノマー：
ＣＨ２＝ＣＲ３Ｙ
（式中、
Ｒ３は、Ｈ又はＣＨ３であり；かつ
Ｙは、ＣＯ２Ｍ、Ｌ−ＣＯ２Ｍ、Ｌ−ＯＨ、及びＣＯＮＨ２からなる群から選択され；ここでＭはＨ又は対イオンであり、かつＬは、アルキレン基、アリーレン基、ヘテロアルキレン基、エーテル基、カルボニル基、エステル基、アミド基、若しくはスルホンアミド基、又はこれらの組み合わせを含む二価結合基である）
ｂ）非カチオン性（メタ）アクリルポリマー；及び
ｃ）メラミン−ホルムアルデヒド、尿素−ホルムアルデヒド、グリコールウリル−ホルムアルデヒド、アジリジン、カルボジイミド、イソシアネート、及びエポキシ架橋剤からなる群から選択される架橋剤；
を含み、
ｄ）前記カチオン性コポリマーが約２５質量％〜約７０質量％；
前記非カチオン性（メタ）アクリルポリマーが約１０質量％〜約５０質量％；及び
前記架橋剤が約５質量％〜約３５質量％である、物品。
【請求項２】
前記基材が、反射性フィルム、偏光フィルム、反射偏光フィルム、拡散混合反射偏光フィルム、拡散フィルム、輝度上昇フィルム、ターンフィルム（turning film）、ミラーフィルム、又はこれらの組み合わせを含む、請求項１に記載の物品。
【請求項３】
前記物品が、前記帯電防止層上に配置された微細構造化層を更に含み、該微細構造化層は、複数の微細構造を有する構造化表面を含み、かつ該構造化表面は、前記物品の外側表面を含む、請求項１に記載の物品。
【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
（ｉ）ポリマー主鎖及び、所望によりそれに付属する１つ以上の側鎖を有する、１つ以上のポリマーで、該ポリマーが一般式
−ＳＯ３−Ｘ                                                  （Ｉ）
で表わされる複数個のスルホン酸基、又は一般式
−ＳＯ２Ｙ                                                    （ＩＩ）
で表わされ、ここでＸはＨ＋又はＭを表わす複数個の−ＳＯ３−Ｘ前駆体基を含み、
Ｍは、一価の金属カチオン又は−ＮＨ４＋を表し、又は
Ｙは塩基Ｍ［ＯＨ−］を用いた処理により−ＳＯ３−Ｍに変換できる基を表わすポリマーと、
（ｉｉ）Ｆ含有アニオンを含む１つ以上の金属塩と、を含む膜。
【手続補正書】
【提出日】平成23年7月22日(2011.7.22)
【手続補正１】
【補正対象書類名】特許請求の範囲
【補正対象項目名】全文
【補正方法】変更
【補正の内容】
【特許請求の範囲】
【請求項１】
タービン並びにコンプレッサシャフトに配置されたコンプレッサを有するターボチャージャー装置と、前記コンプレッサシャフト並びに駆動シャフトとに結合された遊星ギアとを具備する、内燃エンジンのためのスーパチャージシステムにおいて、
パワートランスミッションが、前記内燃エンジンのクランクシャフトを前記駆動シャフトに、クラッチユニットを介して接続しており、また、
動作モードに応じてモータもしくはジェネレータとして動作可能な電気機器が前記駆動シャフトに接続されており、
前記コンプレッサシャフトは、前記遊星ギアの太陽ギアに接続されており、また、前記駆動シャフトは、前記遊星ギアのリングギアに接続されていることを特徴とするスーパチャージシステム。
【請求項２】
排気ガス推進ターボスーパチャージシステムと、機械的なスーパチャージシステムと、動作モードに応じてスーパチャージもしくは再生するための電気システムとを具備し、
前記排気ガス推進ターボスーパチャージシステムは、タービンと、コンプレッサシャフトに配置されたコンプレッサとを有し、
前記機械的なスーパチャージシステムは、内燃エンジンのクランクシャフトを前記コンプレッサに結合させ、
前記電気システムは、動作モードに応じてモータもしくはジェネレータとして動作可能な電気機器を前記コンプレッサに結合させ、
前記排気ガス推進ターボスーパチャージシステムと、機械的なスーパチャージシステムと、電気システムとは、前記コンプレッサシャフトと駆動シャフトとを含む共通の軸に配設されており、また、
前記コンプレッサシャフトと駆動シャフトとは、遊星ギアによって接続されている、内燃エンジンのためのスーパチャージシステムにおいて、
前記電気機器は、前記駆動シャフトに接続されており、また、
パワートランスミッションが、前記内燃エンジンのクランクシャフトを前記駆動シャフトに、クラッチユニットを介して接続させており、
前記コンプレッサシャフトは、前記遊星ギアの太陽ギアに接続されており、また、前記駆動シャフトは、前記遊星ギアのリングギアに接続されていることを特徴とするスーパチャージシステム。
【請求項３】
前記クラッチユニットは、フリーホイールクラッチユニットであることを特徴とする請求項１または２のスーパチャージシステム。
【請求項４】
前記駆動シャフトは、前記電気機器の駆動シャフトであることを特徴とする請求項１ないし３のいずれか１のスーパチャージシステム。
【請求項５】
このスーパチャージシステムは、前記タービンと前記コンプレッサとに組み合わされ、タービンの入口から排気ガスがタービンに入って、タービンのホイールを回転させて、タービンのホイールの回転でコンプレッサのインペラを回転させ、この結果、外気を圧縮してエンジンの空気吸引口へと吐出し、そして、駆動装置が、タービンが最低の動作範囲に達する前にコンプレッサと関連した前記軸に回転を伝達させるために設けられている、請求項１ないし３のいずれか１のスーパチャージシステム。
【請求項６】
前記駆動シャフトには、排気ガスにより駆動されるタービンからの過度のエネルギーを電気的なパワーに再生させるために、ジェネレータに結合されたトランスミッションが設けられている請求項１ないし５のいずれか１のスーパチャージシステム。
【請求項７】
前記軸は、クラッチ手段の助けにより互いに接続可能な複数のアラインメントされたシャフトに分けられている請求項２のスーパチャージシステム。
【請求項８】
少なくとも１つの燃焼チャンバに燃焼用空気を供給するための空気吸引マニホールドと、前記少なくとも１つの燃焼チャンバから排気ガスを排出するための排気マニホールドとスーパチャージシステムとを具備し、
このスーパチャージシステムは、共通のシャフトに沿って配設されたタービンのホイールとコンプレッサとを有するターボチャージ装置と、
前記共通のシャフトと駆動シャフトとに結合された遊星ギアと、
前記駆動シャフトに接続された動作モードに応じてモータもしくはジェネレータとして動作可能な電気機器とを有し、
前記タービンの入口は、排気ガスを受けるように前記排気マニホールドに接続され、この結果、タービンのホイールは回転され、前記共通のシャフトを介して、前記コンプレッサのインペラをタービンの速度で回転させ、また、外気を圧縮して前記エンジンの空気吸引マニホールドに吐出させ、また、
前記内燃エンジンは、更に複数の内部回転駆動シャフトを有し、これら内部回転駆動シャフトのいずれか１つは、タービンが最低の動作範囲に達する前にコンプレッサを駆動するための回転力を伝達するために、トランスミッションを介して前記回転駆動シャフトに接続可能である、内燃エンジン。
【請求項９】
クランクシャフトの回転を前記共通のシャフトに伝達するための前記トランスミッションは、ベルト駆動部である請求項８の内燃エンジン。
【請求項１０】
前記駆動シャフトと前記共通のシャフトとは、共通の軸上に設けられている、請求項８の内燃エンジン。
【請求項１１】
前記共通の軸は、クラッチ手段により互いに接続可能で、個々に回転可能なアラインメントされた複数のシャフトにより構成されている請求項１０の内燃エンジン。
【請求項１２】
前記互いに接続可能なシャフトの１つには、タービンからの過度のエネルギーを電気的なパワーに再生するための電気機器に結合されたトランスミッションを備えている請求項１１の内燃エンジン。
【手続補正２】
【補正対象書類名】明細書
【補正対象項目名】００３２
【補正方法】変更
【補正の内容】
【００３２】
図１３は、タービン７がジェネレータ１２８を駆動し、このジェネレータは、電気機器２０に高電圧を供給する、実施の形態を示している。クラッチ１８は、電気機器２０と、トランスミッション１６のためのプーリとの間に設けられており、また、このプーリとコンプレッサ８との間には、遊星ギア２５が設けられている。前記ジェネレータ１２８の回転速度は、好ましくは、約１００．０００ｒｐｍであり、一方、電気機器は、好ましくは、約２０．０００ｒｐｍの回転速度を有している。
【手続補正３】
【補正対象書類名】図面
【補正対象項目名】図１３
【補正方法】変更
【補正の内容】
【図１３】
2010534298.tif 000001
【手続補正書】
【提出日】平成23年4月19日(2011.4.19)
【手続補正１】
【補正対象書類名】明細書
【補正対象項目名】００１６
【補正方法】変更
【補正の内容】
【００１６】
羽根６について説明すると、羽根６の入口側縁部又は上流側端部８の近傍の領域、及び／又は、出口側縁部又は下流側端部１０の近傍の領域には、ロータ４の羽根６の側面にキャビテーションが発生する問題があった。この障害を軽減するために、図１に示すように、羽根６は、入口側オリフィス２２と出口側オリフィス２４、２６との間であって、羽根の内部に延びる複数の管路（図示しない）を備えている。管路の入口側オリフィス２２は、羽根６の上流側端部８の近傍に配置されており、羽根の上流側において主流Ｅから水流を取り出すようになっている。管路の出口側オリフィス２４、２６は、羽根６の上流側端部８及び／又は下流側端部１０の近傍であって羽根６の側壁に、取り出された水流を注入するよう配置されている。取り出されて注入される水流の効果は、主流Ｅを局部的に変化させることであり、それによって、上流側端部８の近傍において羽根にキャビテーションが発生する現象を防止する。そのため、ある管路は、上流側端部８の近傍において羽根にキャビテーションが発生する現象を防止するために、上流側端部８の近傍において羽根６の側壁に通じる出口側オリフィス２４を備えている。別の管路は、下流側端部１０の近傍における羽根にキャビテーションが発生する現象を防止するために、下流側端部１０の近傍に羽根６の側壁に向けて開口する出口側オリフィス２６を備えている。
【手続補正２】
【補正対象書類名】明細書
【補正対象項目名】００２１
【補正方法】変更
【補正の内容】
【００２１】
羽根上のキャビテーション現象に加えて、複数の羽根６の間の空間３３において、さらに渦流が発生する現象があり得る。これらの現象は、入口側及び出口側のオリフィスが羽根の下流側端部と上流側端部との間に配置されて、羽根の間の空間３３に向けて開口する管路によって軽減され得る。一つの実施形態によれば、羽根６の間に渦流が発生する現象は、図１に示すように、天井部２８に形成された開口部３２によって解決される。
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
ａ）式Ｉ：  
【化６】
2010534246.tif 000001
（式中、
Ｒ１、Ｒ２、及びＲ３が、独立してＯＨ及びＮＲ５Ｒ６からなる群から選択され、
Ｒ４が、ＯＨ、ＯＰ（Ｏ）（ＯＨ）２、ＯＳＯ３Ｈ、及びＮＲ５Ｒ６からなる群から選択され、
Ｒ５及びＲ６が、独立して水素原子、アルキル基、Ｃ（Ｏ）Ｒ７、及びＳＯ２Ｒ８からなる群から選択され、
Ｒ７及びＲ８が、独立してアルキル基、アリール基、又はアラルキル基からなる群から選択される）
で表される少なくとも１つの化合物、又はそれらの薬剤として許容される塩と、
ｂ）結合剤とを含む歯科用組成物であって、
Ｒ１、Ｒ２、Ｒ３、及びＲ４のうちの少なくとも１つがＮＲ５Ｒ６であり、
被膜形成歯科用組成物である、歯科用組成物。
【手続補正書】
【提出日】平成23年6月29日(2011.6.29)
【手続補正１】
【補正対象書類名】特許請求の範囲
【補正対象項目名】全文
【補正方法】変更
【補正の内容】
【特許請求の範囲】
【請求項１】
式Ｉ：
【化１】
2010534247.tif 000001
（式中、
Ｒ１は、メチル、エチル、１−プロピル、イソプロピル、ブチル、イソブチル、ｓ−ブチル、ペンチル、イソペンチル及びネオペンチルからなる群より選ばれるアルキル基を含み、
Ｒ２は、Ｃ（Ｏ）Ｒ３を含み、
Ｒ３は、７個、８個もしくは９個の炭素原子を有するアルキル基、又は、ヘキシル、２−エチルヘキシル、オクチル、デシル、ウンデシル及びドデシルからからなる群より選ばれるアルキル基を含み、
ｎは約２〜約５の整数である）
の化合物又はトロポロンを含まない前記式Ｉの化合物の薬剤として許容される塩を含む、歯科用組成物である、組成物。
【手続補正書】
【提出日】平成23年7月20日(2011.7.20)
【手続補正１】
【補正対象書類名】明細書
【補正対象項目名】００２６
【補正方法】変更
【補正の内容】
【００２６】
繰り返されるＵＶへの暴露および皮膚の早期老化現象の間には因果関係が存在する。日光への過剰な暴露は、皮膚中のエラスチンおよびコラーゲンの品質および量の早期の低下、および表皮の肥大に貢献する。これらの変化は、老化現象の典型的な兆候、例えばしわ、弾力性の低下、皮膚の乾燥および吹き出物のより高い頻度、および／または皮膚の色合いの一時的変異、皮膚の乾燥したおよび起伏のある外観、皮膚の堅さおよび／もしくは弾力性の喪失、および良性もしくは悪性の新生組織形成、によって現れる。
【手続補正２】
【補正対象書類名】明細書
【補正対象項目名】００２８
【補正方法】変更
【補正の内容】
【００２８】
従って、本発明の１つの主題は、本発明による化合物の抗酸化特性を、皮膚のしわ、特に細かいしわおよび深いしわを防ぎ、取り除きまた手当てする；および／または皮膚のおよび／または皮下の弛緩と闘う；および／または皮膚の肌理を改善し、また皮膚の光沢を回復させる；および／または皮膚の毛穴の大きさ、および／または皮膚の色合いの一時的変異、皮膚の乾燥したおよび起伏のある外観、皮膚の堅さおよび／もしくは弾力性の喪失を低減させるために、ＵＶによる老化現象の症状、すなわち日光への繰り返された暴露の結果と思われる損傷に対して用いることでもある。
【手続補正３】
【補正対象書類名】特許請求の範囲
【補正対象項目名】全文
【補正方法】変更
【補正の内容】
【特許請求の範囲】
【請求項１】
３，５−セコ−４−ノル−コレスタンの少なくとも１種のオキシム誘導体、もしくは容認される酸とのその付加塩の１種、またはそのエステルの１種もしくは該エステルと容認される酸との付加塩の１種の、抗酸化剤としての使用方法。
【請求項２】
下記の式Ｉ：
【化１】
2010534228.tif 000001
（ここで、ＸおよびＹは一緒にオキシム基（＝ＮＯＨ）を表すか、またはＸはヒドロキシルそしてＹは水素原子を表し、
−Ｂはヒドロキシル基を表し、またＣおよびＤは同じかもしくは異なっており、水素原子、または１〜４個の炭素原子を含む直鎖もしくは分岐したアルキル基を表すか、あるいは
−ＢおよびＣは一緒にケト官能基を表し、またＤがメチル、ヒドロキシル、もしくはメチルアミン基を表すか、あるいは
−ＢおよびＣは水素原子を表し、またＤはメチルアミン基を表すか、あるいは
−ＢおよびＣは一緒にオキシム基を表し、またＤはメチル基を表し、そして
−Ｒは、１〜１０個の炭素原子を含む直鎖もしくは分岐したアルキル基を表す）、
に相当する３，５−セコ−４−ノル−コレスタンの少なくとも１種のオキシム誘導体の、請求項１記載の使用方法。
【請求項３】
前記の１〜４個の炭素原子の直鎖もしくは分岐したアルキル基が、メチル、エチル、プロピル、またはイソプロピル基であることを特徴とする、請求項２記載の使用方法。
【請求項４】
前記の１〜４個の炭素原子の直鎖もしくは分岐したアルキル基が、メチルもしくはエチル基であることを特徴とする、請求項２記載の使用方法。
【請求項５】
前記の１〜４個の炭素原子の直鎖もしくは分岐したアルキル基が、メチル基であることを特徴とする、請求項２記載の使用方法。
【請求項６】
３，５−セコ−４−ノル−コレスタンの前記のオキシム誘導体が、
−Ｂはヒドロキシル基を表し、ならびにＣおよびＤは水素原子を表し、またはＣおよびＤは１〜４個の炭素原子の２つの直鎖もしくは分岐したアルキル基を表し；あるいは
−ＢはＣと一緒にケト官能基を表し、またＤはメチル、ヒドロキシル、もしくはメチルアミン基を表し；あるいは
−Ｂはヒドロキシル基を表し、またＣおよびＤは水素原子を表すか、またはＣおよびＤは１〜４個の炭素原子の２つの直鎖もしくは分岐したアルキル基を表し、またはＣは水素原子を、そしてＤは１〜４個の炭素原子の直鎖もしくは分岐したアルキル基を表し；あるいは
−ＢおよびＣは水素原子を表し、またＤはメチルアミン基を表し；あるいは
−ＢはＣと一緒にオキシム基を表し、またＤはメチル基を表す、
前記の化合物から選ばれることを特徴とする、請求項２〜５のいずれか１項記載の使用方法。
【請求項７】
前記の１〜１０個の炭素原子を含む直鎖もしくは分岐したアルキル基が、２−メチル−３−エチルヘプタン、３−エチルヘプタン、３−メチルヘプタン基から選ばれることを特徴とする、請求項２〜６のいずれか１項記載の使用方法。
【請求項８】
前記の１〜１０個の炭素原子を含む直鎖もしくは分岐したアルキル基が、２−エチルヘプタン基であることを特徴とする、請求項２〜６のいずれか１項記載の使用方法。
【請求項９】
前記の１〜１０個の炭素原子の直鎖または分岐したアルキル基が、式（ＩＩ）：
【化２】
2010534228.tif 000002
で表されるコレスタンの２−メチルヘプタン基であることを特徴とする、請求項２〜６のいずれか１項記載の使用方法。
【請求項１０】
式Ｉの前記の化合物が式ＩＩＩ：
【化３】
2010534228.tif 000003
（ここで、Ｂ、Ｃ、Ｄ、ＸおよびＹは上記で既に示した意味を有している）
に相当することを特徴とする、請求項１〜９のいずれか１項記載の使用方法。
【請求項１１】
３，５−セコ−４−ノル−コレスタン前記のオキシム誘導体が、ＸがＹと一緒にオキシム官能基を表す前記の化合物から選ばれることを特徴とする、請求項１〜１０のいずれか１項記載の使用方法。
【請求項１２】
３，５−セコ−４−ノル−コレスタンの前記のオキシム誘導体が、
−  ３，５−セコ−４−ノル−コレスタン−５−オンオキシム−３−オール、
−  ３，５−セコ−４−ノル−コレスタン−５−オンオキシム−３−メチルアルコール、
−  ３，５−セコ−４−ノル−コレスタン−５−オンオキシム−３−ジメチルアルコール、
から選ばれることを特徴とする、請求項１〜１１のいずれか１項記載の使用方法。
【請求項１３】
化粧品分野における抗酸化剤としての、請求項１〜１２のいずれか１項記載の使用方法。
【請求項１４】
酸化ストレスと闘うための、請求項１３記載の使用方法。
【請求項１５】
老化現象の手当てのための、請求項１３または１４記載の使用方法。
【請求項１６】
皮膚の老化現象の手当てのための、請求項１５記載の使用方法。
【請求項１７】
細かなしわおよび深いしわ、皮膚の色合いの一時的変異、皮膚の乾燥したおよび起伏のある外観、皮膚の堅さおよび／もしくは弾力性の喪失、の手当てのための、請求項１６記載の使用方法。
【請求項１８】
食品分野における抗酸化剤としての、請求項１〜１２のいずれか１項記載の使用方法。
【請求項１９】
食品栄養補助食品としての、請求項１８記載の使用方法。
【請求項２０】
抗酸化保存料としての、請求項１〜１２のいずれか１項記載の使用方法。
【請求項２１】
化粧品、食品および医薬品中での抗酸化保存料としての、請求項２０記載の使用方法。
【請求項２２】
３，５−セコ−４−ノル−コレスタンの前記のオキシム誘導体が、単独で、または混合物で用いられる、請求項１〜２１のいずれか１項記載の使用方法。
【請求項２３】
３，５−セコ−４−ノル−コレスタンの前記のオキシム誘導体が、その抗酸化特性が知られている１種または２種以上の他の化合物と組み合わせて混合物で用いられる、請求項２２記載の使用方法。
【手続補正書】
【提出日】平成23年7月25日(2011.7.25)
【手続補正１】
【補正対象書類名】明細書
【補正対象項目名】０００８
【補正方法】変更
【補正の内容】
【０００８】
本発明は、強力な酸化防止剤であるコレスト-４-エン-３-オン誘導体を酸化防止剤として使用する方法を含むので、強力な抗酸化化合物の必要性に対する回答である。
実際、本発明者らは、今や脂質そしてまた熱誘起又は光誘起の酸化反応を受ける可能性のある物質（例えば、タンパク質、砂糖、顔料、ビタミン、高分子）の過酸化に対する少なくとも１つのコレスト-４-エン-３-オンオキシム誘導体、そして特にコレスト-４-エン-３-オンオキシムの強力な抗酸化の役割を明らかにした。
これが、本発明の主題が少なくとも１つのコレスト-４-エン-３-オンオキシム誘導体を酸化防止剤として使用する方法である理由である。
【手続補正２】
【補正対象書類名】明細書
【補正対象項目名】００１２
【補正方法】変更
【補正の内容】
【００１２】
また、それゆえ、細線および深いしわ、肌の色合い、皮膚の乾燥および荒い外観、皮膚の堅さおよび／又は弾力性の喪失の修正を治療し、および／又は皮膚および／又は皮下の弛緩を治し、および／又は皮膚の組織を改善しそして皮膚の艶を蘇生させ、および／又は皮膚の毛穴のサイズを低減させるために、紫外線に起因する老化の症状に、すなわち日光に対する反復曝露の結果として現れる皮膚へのダメージに本発明による化合物の抗酸化特性を使用することが本発明の主題の１つである。
【手続補正３】
【補正対象書類名】特許請求の範囲
【補正対象項目名】全文
【補正方法】変更
【補正の内容】
【特許請求の範囲】
【請求項１】
少なくとも１つのコレスト-４-エン-３-オンオキシム誘導体又はその許容できる酸との付加塩の１つ、又はそのエステルの１つ、あるいは前記エステルの許容できる酸との付加塩の１つを酸化防止剤として使用する方法。
【請求項２】
式ｌ：
【化１】
2010534227.tif 000001
（式中、Ｘはオキシム基（＝ＮＯＨ）を示し、Ｒは下記：
【化２】
2010534227.tif 000002
から選択される基を示し、
Ａは水素原子、ヒドロキシ基又はＢとともに炭素-炭素結合を示し、
Ｂは水素原子、ヒドロキシ基又はＡとともに炭素-炭素結合を示し、
Ｃは水素原子、ケトン基又はオキシム基（＝ＮＯＨ）、あるいはＤとともに炭素-炭素結合を示し、
Ｄは水素原子又はＣとともに炭素-炭素結合を示し、
Ｅは水素原子又はＦとともに炭素-炭素結合を示し、
Ｆは水素原子又はＥとともに炭素-炭素結合を示す。）に相当する少なくとも１つの化合物、又は医薬的に許容できる酸との付加塩の１つ、又はそのエステルの１つ、あるいは前記エステルの医薬的に許容できる酸との付加塩の１つ、である請求項１に記載の方法。
【請求項３】
前記式ｌの化合物が、Ｘはオキシム基（＝ＮＯＨ）を示し、そして、
-ＡはＢとともに炭素-炭素結合を示し、Ｃ、Ｄは水素原子を示し、Ｅ、Ｆは水素原子又はともに炭素-炭素結合を示しそしてＲはＲ１を意味し、
-ＡはＢとともに炭素-炭素結合を示し、Ｃ、Ｄは水素原子を示し、Ｅ、Ｆは水素原子を示しそしてＲはＲ２又はＲ３あるいはＲ４を意味し、
-ＡはＢとともに二重結合を示し、ＣはＤともに炭素-炭素結合を示し、Ｅ、Ｆは水素原子を示しそしてＲはＲ１又はＲ６を意味し、
-ＡはＢとともに二重結合を示し、ＣはＤともに炭素-炭素結合を示し、ＥはＦともに炭素-炭素結合を示し、そしてＲはＲ１を意味し、
-ＥはＦとともに二重結合を示し、Ｃ、Ｄ、Ａ、Ｂは水素原子を示し、そしてＲはＲ１を意味する、
式ｌの少なくとも１つの化合物から選択されることを特徴とする請求項２に記載の方法。
【請求項４】
式ｌの化合物が、コレスタン-３-オンオキシム、コレスト-４-エン-３-オンオキシム、コレスト-１，４-ジエン-３-オンオキシムから選択されることを特徴とする請求項２又は３に記載の方法。
【請求項５】
式ｌの化合物が、コレスト-４-エン-３-オンオキシム又はコレスト-１，４-ジエン-３-オンオキシムから選択されることを特徴とする請求項２〜４のいずれか１項に記載の方法。
【請求項６】
化粧品分野で酸化防止剤としての請求項２〜５のいずれか１項に記載の方法。
【請求項７】
酸化的ストレスに対抗するための請求項６に記載の方法。
【請求項８】
老化を治療するための請求項６又は７に記載の方法。
【請求項９】
皮膚の老化を治療するための請求項８に記載の方法。
【請求項１０】
細線および深いしわ、肌の色合い、皮膚の乾燥および荒い外観、皮膚の堅さおよび／又は弾力性の喪失の修正を治療するための請求項８又は９に記載の方法。
【請求項１１】
食品分野で酸化防止剤としての請求項１〜５のいずれか１項に記載の方法。
【請求項１２】
食品サプリメントとしての請求項１１に記載の方法。
【請求項１３】
抗酸化防腐剤としての請求項１〜１２のいずれか１項に記載の方法。
【請求項１４】
化粧品、食品および医薬品での抗酸化防腐剤としての請求項１３に記載の方法。
【請求項１５】
前記コレスト-４-エン-３-オンオキシム誘導体が、単独で又は混合物で用いられる請求項１〜１４のいずれか１項に記載の方法。
【請求項１６】
前記コレスト-４-エン-３-オンオキシム誘導体が、抗酸化特性で知られている１つ以上の他の化合物と組み合わせて混合物で用いられる請求項１５に記載の方法。
【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
分子量30,000〜45,000ダルトンの少なくとも一つのヒアルロン酸またはその塩を含む、物理的、化学的または微生物学的な作用物に起因するアタックの場合に、上皮細胞が関与する上気道および下気道の粘膜、腸粘膜、皮膚または眼の完全性の保護および／または回復のための組成物。
【請求項２】
ビタミン類から選択される化合物Bをさらに含む、請求項１に記載の組成物。
【請求項３】
ヒアルロン酸の濃度が0.1 g/l〜4g/lである、請求項１または２に記載の組成物。
【請求項４】
物理的、化学的または微生物学的な作用物に起因するアタックにより引き起こされる症状の治療および／または予防のための医薬である、請求項１〜３のいずれか１つに記載の組成物。
【請求項５】
化粧品または食品である、請求項１〜３のいずれか１つに記載の組成物。
【請求項６】
上皮細胞が上気道および下気道の粘膜であり、喘息、呼吸器アレルギー、呼吸困難シンドロームのような症状を予防するための、請求項１〜４のいずれか１つに記載の組成物。
【請求項７】
上皮細胞が皮膚の細胞であり、しわ、小じわ、皮膚の緊張力および弾力の低下、皮膚の脱水から選択される皮膚の機能的および構造的障害に関連して、皮膚の保護機能を改善するための、請求項１〜３および５のいずれか１つに記載の組成物。
【請求項８】
上皮細胞が腸粘膜の細胞であり、胃腸炎、局所貧血性の壊死および腸粘膜の潰瘍から選択される消化器の障害に関連して、腸粘膜の保護機能を改善するための、請求項１〜３および５のいずれか１つに記載の組成物。
【請求項９】
上皮細胞が眼の細胞であり、漿液ストレス、ドライアイ、角膜の障害および角膜炎から選択される眼の障害に関連して、眼の保護機能を改善するための、請求項１〜３および５のいずれか１つに記載の組成物。
【請求項１０】
分子量30,000〜45,000ダルトンを有する少なくとも一つのヒアルロン酸、またはその塩を、0.1 g/l〜1 g/lの濃度で、医薬的に許容される担体と組み合わせて含む医薬組成物。
【請求項１１】
医薬的に許容される担体と組み合わせて、ビタミン類から選択される化合物Bをさらに含む、請求項１０に記載の医薬組成物。
【請求項１２】
50 mg/日〜300 mg/日を含む量で局所的に投与されるように、あるいは0.66 mg/kg/日〜4 mg/kg/日を含む量で経口的に投与されるように製剤化された、請求項１０または１１に記載の医薬組成物。
【請求項１３】
エンテリック・コーティングされた形態にある、請求項１０〜１２のいずれか１つに記載の医薬組成物。
【請求項１４】
分子量30,000〜45,000ダルトンを有するヒアルロン酸またはその塩を0.1 g/l〜1 g/lの濃度で、化粧品として許容される担体と組み合わせて含む化粧品組成物。
【請求項１５】
化粧品として許容される担体と組み合わせて、ビタミン類から選択される化合物Bをさらに含む、請求項１４に記載の化粧品組成物。
【請求項１６】
1 mg/d〜300 mg/日の量で局所的に適用されるように製剤化された、請求項１４または１５に記載の化粧品組成物。
【請求項１７】
分子量30,000〜45,000ダルトンを有するヒアルロン酸またはその塩を0.1 g/l〜1 g/lの濃度で含む食品組成物。
【請求項１８】
ビタミン類から選択される化合物Bをさらに含む、請求項１７に記載の食品組成物。
【請求項１９】
50 mg/d〜300 mg/日の量で経口的に適用されるように製剤化された、請求項１７または１８に記載の食品組成物。
【請求項２０】
エンテリック・コーティングされた形態にある、請求項１７〜１９のいずれか１つに記載の食品組成物。